(57)【特許請求の範囲】
【請求項１】
マスメディア端末及びパーソナルメディア端末と通信回線を介してデータを送受信可能に接続された広告配信装置であって、
前記マスメディア端末が送信した視聴記録データを前記通信回線を介して受信する受信手段と、
前記受信手段により受信した、前記視聴記録データに含まれる、ユーザを特定するデータ及び前記ユーザが前記マスメディア端末で視聴したＣＭを特定するデータを、関連付けて記憶する視聴記録データ記憶手段と、
前記マスメディア端末が出力するＣＭに関連するキーワードに対する広告の入札を受け付ける手段と、
受け付けた前記広告を特定するデータを前記キーワードに関連付けて記憶する広告データ記憶手段と、
前記パーソナルメディア端末が送信したユーザを特定するデータを受信したことに応じて、前記視聴記録データ記憶手段から、特定された前記ユーザが前記マスメディア端末から視聴したＣＭを特定するデータを読み出す手段と、
前記広告データ記憶手段から、特定された前記ＣＭに関連するキーワードに関連付けられた広告を特定するデータを読み出す手段と、
読み出した前記広告を特定するデータが示す広告データを、特定された前記ユーザのパーソナルメディア端末へ送信する送信手段と、を備え、
前記広告データは、前記パーソナルメディア端末においてバナー広告をブラウザに表示させるデータであり、
前記キーワードは、前記バナー広告をＣＭに関連づけるための入札キーワードである広告配信装置。
【請求項２】
前記パーソナルメディア端末が送信したユーザを特定するデータを受信したことに応じて、前記視聴記録データ記憶手段から、特定された前記ユーザが前記マスメディア端末から所定期間内に視聴した複数のＣＭを特定するデータを読み出す手段と、
前記広告データ記憶手段から、特定された複数の前記ＣＭにそれぞれ関連するキーワードに関連付けられた複数の広告データをそれぞれ読み出す手段と、を更に備え、
前記送信手段は、読み出した複数の前記広告を特定するデータが示す広告データを、特定された前記ユーザのパーソナルメディア端末へ送信する、請求項１記載の広告配信装置。
【請求項３】
前記視聴記録データに基づいて前記ユーザが前記マスメディア端末でＣＭを視聴した回数を集計して、前記ＣＭに前記ユーザが視聴した回数の多い順に優先順位を付けて前記ユーザを特定するデータに関連付けて記憶する手段を更に備え、
前記送信手段は、読み出した前記広告を特定するデータが示す広告データを、前記優先順位の高いＣＭに関連するキーワードに関連付けられたものから、特定された前記ユーザのパーソナルメディア端末へ送信する、請求項１記載の広告配信装置。
【請求項４】
前記広告を特定するデータに、前記入札の金額を関連付けて記憶する入札金額記憶手段と、
読み出した前記広告を特定するデータに、入札の金額の多い順に優先順位を付けて記憶する手段と、を更に備え、
前記送信手段は、読み出した前記広告を特定するデータが示す広告データを、前記優先順位の高いものから、特定された前記ユーザのパーソナルメディア端末へ送信する、請求項１から請求項３のいずれか記載の広告配信装置。
【請求項５】
前記視聴記録データに基づいて前記ユーザが前記マスメディア端末でＣＭを視聴した順番を特定して、前記ＣＭに前記ユーザが視聴した順番の新しい順に優先順位を付けて前記ユーザを特定するデータに関連付けて記憶する手段を更に備え、
前記送信手段は、読み出した前記広告を特定するデータが示す広告データを、前記優先順位の高いＣＭに関連するキーワードに関連付けられたものから、特定された前記ユーザのパーソナルメディア端末へ送信する、請求項１から請求項４のいずれか記載の広告配信装置。
【請求項６】
マスメディア端末及びパーソナルメディア端末と通信回線を介してデータを送受信可能に接続された広告配信装置が広告を配信する方法であって、
前記広告配信装置が、マスメディア端末が送信した視聴記録データを通信回線を介して受信するステップと、
受信した前記視聴記録データに含まれる、ユーザを特定するデータ及び前記ユーザが前記マスメディア端末で視聴したＣＭを特定するデータを、関連付けて記憶するステップと、
前記マスメディア端末が出力するＣＭに関連するキーワードに対する広告データの入札を受け付けるステップと、
受け付けた前記広告を特定するデータを前記キーワードに関連付けて記憶するステップと、
パーソナルメディア端末が送信したユーザを特定するデータを受信したことに応じて、特定された前記ユーザが前記マスメディア端末から視聴したＣＭを特定するデータを読み出すステップと、
特定された前記ＣＭに関連するキーワードに関連付けられた広告を特定するデータを読み出すステップと、
読み出した前記広告を特定するデータが示す広告データを、特定された前記ユーザのパーソナルメディア端末へ送信するステップと、を含み、
前記広告データは、前記パーソナルメディア端末においてバナー広告をブラウザに表示させるデータであり、
前記キーワードは、前記バナー広告をＣＭに関連づけるための入札キーワードである広告配信方法。
【請求項７】
通信回線を介して接続された、マスメディア端末、パーソナルメディア端末、広告データ入札端末、並びに広告配信装置を含む広告配信システムであって、
前記マスメディア端末は、
放送データを受信する手段と、
放送データを視聴可能に出力する手段と、
ユーザを特定するデータを記憶する手段と、
前記ユーザを特定するデータ及び前記ユーザに出力したＣＭを特定するデータを関連付けた視聴記録データを送信する手段とを備え、
前記広告配信装置は、
前記マスメディア端末が送信した視聴記録データを前記通信回線を介して受信する受信手段と、
前記受信手段により受信した、前記視聴記録データに含まれる、ユーザを特定するデータ及び前記ユーザが前記マスメディア端末で視聴したＣＭを特定するデータを、関連付けて記憶する視聴記録データ記憶手段と、を備え、
前記広告データ入札端末は、
前記マスメディア端末が出力するＣＭに関連するキーワードに対する広告の入札データの入力を受け付ける手段と、
前記広告の入札データを送信する手段とを備え、
前記広告配信装置は、前記広告データ入札端末が送信した前記入札データを受信する手段と、
前記入札データに含まれる広告を特定するデータを前記キーワードに関連付けて記憶する広告データ記憶手段と、を更に備え、
前記パーソナルメディア端末は、
ユーザを特定するデータを前記通信回線を介して前記広告配信装置に送信する手段を備え、
前記広告配信装置は、前記パーソナルメディア端末が送信したユーザを特定するデータを受信したことに応じて、前記視聴記録データ記憶手段から、特定された前記ユーザに関連付けられたＣＭを特定するデータを読み出すＣＭ読出手段と、
前記広告データ記憶手段から、特定された前記ＣＭに関連するキーワードに関連付けられた広告を特定するデータを読み出す手段と、
読み出した前記広告を特定するデータが示す広告データを、特定された前記ユーザのパーソナルメディア端末へ送信する送信手段と、を更に備え、
前記パーソナルメディア端末は、前記通信回線を介して前記広告データを受信する手段と、
前記広告データに基づくバナー広告をブラウザに表示させる手段と、を更に備え、
前記キーワードは、前記バナー広告をＣＭに関連づけるための入札キーワードである、広告配信システム。
【発明の詳細な説明】
【技術分野】
【０００１】
本発明は、広告を配信する広告配信装置、方法及びシステムに関する。特に、パーソナルメディア端末に広告を配信する広告配信装置、方法及びシステムに関する。
【背景技術】
【０００２】
従来、ウェブブラウザを搭載したＰＣ等のパーソナルメディア端末において、ユーザが入力したデータに関連する広告を表示することで、ユーザの興味に沿った広告を行うシステム及び広告提示方法があった。
【特許文献１】特開２００７−２４１７１３号公報
【発明の開示】
【発明が解決しようとする課題】
【０００３】
しかしながら、ＰＣや携帯電話等のパーソナルメディア端末において、ユーザが入力したデータは、必ずしもユーザの消費欲求と関係あるとは限らず、ユーザの消費欲求に関連した広告が行われていない場合があった。
【０００４】
一方、テレビ等のマスメディア端末においては、多くのユーザに強制的に広告を放送等することができる反面、多くのユーザに共通のコンテンツを提示するというマスメディア端末の特性上、ユーザ毎の消費欲求の違いに合った広告を行うことはできない。
【０００５】
そこで、本発明は、マスメディア端末の広告により消費欲求を喚起された状態になったユーザに対してマスメディア端末の広告に関連した広告をパーソナルメディア端末において配信することを目的とする。
【０００６】
更に、本発明は、ユーザに対してマスメディア端末の広告が行われた事実に基づいて、更に、マスメディア端末の広告に関連した広告をパーソナルメディア端末において行うことで、パーソナルメディア端末において、ユーザの消費行動に関連した広告を行う広告配信装置を提供することを目的とする。
【課題を解決するための手段】
【０００７】
本発明では、以下のような解決手段を提供する。
【０００８】
（１）  マスメディア端末及びパーソナルメディア端末と通信回線を介してデータを送受信可能に接続された広告配信装置であって、
前記マスメディア端末が送信した視聴記録データを前記通信回線を介して受信する受信手段と、
前記受信手段により受信した、前記視聴記録データに含まれる、ユーザを特定するデータ及び前記ユーザが前記マスメディア端末で視聴したＣＭを特定するデータを、関連付けて記憶する視聴記録データ記憶手段と、
前記マスメディア端末が出力するＣＭに関連するキーワードに対する広告の入札を受け付ける手段と、
受け付けた前記広告を特定するデータを前記キーワードに関連付けて記憶する広告データ記憶手段と、
前記パーソナルメディア端末が送信したユーザを特定するデータを受信したことに応じて、前記視聴記録データ記憶手段から、特定された前記ユーザが前記マスメディア端末から視聴したＣＭを特定するデータを読み出す手段と、
前記広告データ記憶手段から、特定された前記ＣＭに関連するキーワードに関連付けられた広告を特定するデータを読み出す手段と、
読み出した前記広告を特定するデータが示す広告データを、特定された前記ユーザのパーソナルメディア端末へ送信する送信手段と、を備える広告配信装置。
【０００９】
このような構成によれば、マスメディア端末及びパーソナルメディア端末と通信回線を介してデータを送受信可能に接続された広告配信装置は、マスメディア端末が送信した視聴記録データを通信回線を介して受信し、受信した視聴記録データに含まれる、ユーザを特定するデータ及びユーザがマスメディア端末で視聴したＣＭを特定するデータを、関連付けて記憶し、マスメディア端末が出力するＣＭに関連するキーワードに対する広告の入札を受け付け、受け付けた広告を特定するデータをキーワードに関連付けて記憶し、パーソナルメディア端末が送信したユーザを特定するデータを受信したことに応じて、特定されたユーザがマスメディア端末から視聴したＣＭを特定するデータを読み出し、特定されたＣＭに関連するキーワードに関連付けられた広告を特定するデータを読み出し、読み出した広告を特定するデータが示す広告データを、特定された前記ユーザのパーソナルメディア端末へ送信する。
【００１０】
このことにより、当該広告配信装置は、マスメディア端末の広告が行われた事実に基づいて、マスメディア端末の広告に関連した広告をユーザに対してパーソナルメディア端末において行うことで、パーソナルメディア端末においてマスメディア端末のＣＭに関連した広告を行うことができる。
【００１１】
したがって、マスメディア端末の広告により消費欲求を喚起された状態になったユーザに対してマスメディア端末の広告に関連した広告をユーザのパーソナルメディア端末に配信することが可能となる。
【００１２】
（２）  前記パーソナルメディア端末が送信したユーザを特定するデータを受信したことに応じて、前記視聴記録データ記憶手段から、特定された前記ユーザが前記マスメディア端末から所定期間内に視聴した複数のＣＭを特定するデータを読み出す手段と、
前記広告データ記憶手段から、特定された複数の前記ＣＭにそれぞれ関連するキーワードに関連付けられた複数の広告データをそれぞれ読み出す手段と、を更に備え、
前記送信手段は、読み出した複数の前記広告を特定するデータが示す広告データを、特定された前記ユーザのパーソナルメディア端末へ送信する、（１）記載の広告配信装置。
【００１３】
このような構成によれば、当該広告配信装置は、ユーザを特定するデータをパーソナルメディア端末から受信し、特定されたユーザがマスメディア端末から所定期間内に視聴した複数のＣＭを特定するデータを視聴記録データ記憶手段から読み出し、特定された複数の前記ＣＭにそれぞれ関連するキーワードに関連付けられた複数の広告データを広告データ記憶手段からそれぞれ読み出し、特定された前記ユーザのパーソナルメディア端末へ読み出した複数の広告を特定するデータが示す広告データを送信手段から送信する。
【００１４】
このことにより、当該広告配信装置は、マスメディア端末において複数のＣＭを視聴した事実に基づいて、マスメディア端末の広告に関連した複数の広告をユーザに対してパーソナルメディア端末において行うことで、パーソナルメディア端末においてマスメディア端末に関連した広告を複数行うことができる。
【００１５】
したがって、マスメディア端末の複数のＣＭにより消費欲求を喚起された状態になったユーザに対してマスメディア端末の広告に関連した広告をパーソナルメディア端末において複数配信して、ユーザの消費欲求を満足する方法に選択肢を与えることが可能となる。
【００１６】
このように、ユーザが所定期間内に視聴したＣＭに関連する広告を一度に複数出力することにより、ＣＭに関連する広告をまとめて一度に閲覧できる利便性を与え、当該ユーザが興味を示すＣＭに関連する広告を探索する機会を与え、結果として広告が興味を持って閲覧される可能性を高めることができる。
【００１７】
（３）  前記視聴記録データに基づいて前記ユーザが前記マスメディア端末でＣＭを視聴した回数を集計して、前記ＣＭに前記ユーザが視聴した回数の多い順に優先順位を付けて前記ユーザを特定するデータに関連付けて記憶する手段を更に備え、
前記送信手段は、読み出した前記広告を特定するデータが示す広告データを、前記優先順位の高いＣＭに関連するキーワードに関連付けられたものから、特定された前記ユーザのパーソナルメディア端末へ送信する、（１）記載の広告配信装置。
【００１８】
このような構成によれば、当該広告配信装置は、ユーザがマスメディア端末でＣＭを視聴した回数を視聴記録データに基づいて集計して、ＣＭにユーザが視聴した回数の多い順に優先順位を付けてユーザを特定するデータに関連付けて記憶し、読み出した広告を特定するデータが示す広告データを、優先順位の高いＣＭに関連するキーワードに関連付けられたものから、特定されたユーザのパーソナルメディア端末へ送信する。
【００１９】
このことにより、当該広告配信装置は、マスメディア端末のＣＭを視聴した回数の多い順にＣＭに優先順位を付けてユーザに対してパーソナルメディア端末において優先順位の高いＣＭに関連するキーワードに関連付けられたものからマスメディア端末の広告に関連した広告を行うことで、パーソナルメディア端末において、マスメディア端末で消費意欲をより喚起された可能性の高いＣＭに関連した広告を行うことができる。
【００２０】
したがって、マスメディア端末の端末のＣＭを視聴した回数の多い順に優先順位を付けることで、消費欲求を喚起された状態になったユーザに対して消費欲求が高くなった可能性の高い順に、優先して、ユーザのパーソナルメディア端末にマスメディア端末の広告に関連した広告を配信し、より効果的に広告を行うことが可能となる。
【００２１】
（４）  前記広告を特定するデータに、前記入札の金額を関連付けて記憶する入札金額記憶手段と、
読み出した前記広告を特定するデータに、入札の金額の多い順に優先順位を付けて記憶する手段と、を更に備え、
前記送信手段は、読み出した前記広告を特定するデータが示す広告データを、前記優先順位の高いものから、特定された前記ユーザのパーソナルメディア端末へ送信する、（１）から（３）のいずれか記載の広告配信装置。
【００２２】
このような構成によれば、当該広告配信装置は、入札の金額を関連付けて広告を特定するデータを記憶し、入札の金額の多い順に優先順位を付けて広告を特定するデータを記憶し、特定された前記ユーザのパーソナルメディア端末へ広告を特定するデータが示す広告データを優先順位の高いものから送信する。
【００２３】
このことにより、当該広告配信装置は、入札の金額の多い順に優先順位を付けて広告を特定するデータを記憶し、ユーザに対して、ユーザのパーソナルメディア端末へ入札の金額が多いものから順に広告を行うことができる。
【００２４】
したがって、マスメディア端末の広告により消費欲求を喚起された状態になったユーザに対してマスメディア端末の広告に関連した広告を入札金額の多いものから優先的にパーソナルメディア端末において配信することが可能となる。
【００２５】
その結果、広告主は、広告を配信したいＣＭに関連するキーワード等により高い広告料金で入札することができ、入札した広告料金に応じて公平に広告の機会を提供することができる。
【００２６】
（５）  前記視聴記録データに基づいて前記ユーザが前記マスメディア端末でＣＭを視聴した順番を特定して、前記ＣＭに前記ユーザが視聴した順番の新しい順に優先順位を付けて前記ユーザを特定するデータに関連付けて記憶する手段を更に備え、
前記送信手段は、読み出した前記広告を特定するデータが示す広告データを、前記優先順位の高いＣＭに関連するキーワードに関連付けられたものから、特定された前記ユーザのパーソナルメディア端末へ送信する、（１）から（４）のいずれか記載の広告配信装置。
【００２７】
このような構成によれば、当該広告配信装置は、ユーザがマスメディア端末でＣＭを視聴した順番を視聴記録データに基づいて集計して、ＣＭを視聴した順の新しいものから優先順位を付けてユーザを特定するデータに関連付けて記憶し、読み出した広告を特定するデータが示す広告データを、優先順位の高いＣＭに関連するキーワードに関連付けられたものから、特定されたユーザのパーソナルメディア端末へ送信する。
【００２８】
このことにより、当該広告配信装置は、マスメディア端末のＣＭを視聴した順番の新しいものからＣＭに優先順位を付けて、ユーザに対して、パーソナルメディア端末において優先順位の高いＣＭに関連するキーワードに関連付けられたものからマスメディア端末の広告に関連した広告を行うことで、パーソナルメディア端末において、マスメディア端末に関連した広告を行うことができる。
【００２９】
したがって、マスメディア端末の端末のＣＭを視聴した順番の新しいものから優先順位を付けて広告を配信することで、消費欲求を喚起された状態になったユーザに対して、時間の経過によって消費欲求が減少していないものから優先して、ユーザのパーソナルメディア端末にマスメディア端末の広告に関連した広告を配信し、より効果的に広告を行うことが可能となる。
【００３０】
（６）  マスメディア端末及びパーソナルメディア端末と通信回線を介してデータを送受信可能に接続された広告配信装置が広告を配信する方法であって、
前記広告配信装置が、マスメディア端末が送信した視聴記録データを通信回線を介して受信するステップと、
受信した前記視聴記録データに含まれる、ユーザを特定するデータ及び前記ユーザが前記マスメディア端末で視聴したＣＭを特定するデータを、関連付けて記憶するステップと、
前記マスメディア端末が出力するＣＭに関連するキーワードに対する広告データの入札を受け付けるステップと、
受け付けた前記広告を特定するデータを前記キーワードに関連付けて記憶するステップと、
パーソナルメディア端末が送信したユーザを特定するデータを受信したことに応じて、特定された前記ユーザが前記マスメディア端末から視聴したＣＭを特定するデータを読み出すステップと、
特定された前記ＣＭに関連するキーワードに関連付けられた広告を特定するデータを読み出すステップと、
読み出した前記広告を特定するデータが示す広告データを、特定された前記ユーザのパーソナルメディア端末へ送信するステップと、を含む広告配信方法。
【００３１】
このような構成によれば、当該方法を実行することにより、（１）と同様の効果が期待できる。
【００３２】
（７）  通信回線を介して接続された、マスメディア端末、パーソナルメディア端末、広告データ入札端末、並びに広告配信装置を含む広告配信システムであって、
前記マスメディア端末は、
放送データを受信する手段と、
放送データを視聴可能に出力する手段と、
ユーザを特定するデータを記憶する手段と、
前記ユーザを特定するデータ及び前記ユーザに出力したＣＭを特定するデータを関連付けた視聴記録データを送信する手段とを備え、
前記広告配信装置は、
前記マスメディア端末が送信した視聴記録データを前記通信回線を介して受信する受信手段と、
前記受信手段により受信した、前記視聴記録データに含まれる、ユーザを特定するデータ及び前記ユーザが前記マスメディア端末で視聴したＣＭを特定するデータを、関連付けて記憶する視聴記録データ記憶手段と、を備え、
前記広告データ入札端末は、
前記マスメディア端末が出力するＣＭに関連するキーワードに対する広告の入札データの入力を受け付ける手段と、
前記広告の入札データを送信する手段とを備え、
前記広告配信装置は、前記広告データ入札端末が送信した前記入札データを受信する手段と、
前記入札データに含まれる広告を特定するデータを前記キーワードに関連付けて記憶する広告データ記憶手段と、を更に備え、
前記パーソナルメディア端末は、
ユーザを特定するデータを前記通信回線を介して前記広告配信装置に送信する手段を備え、
前記広告配信装置は、前記パーソナルメディア端末が送信したユーザを特定するデータを受信したことに応じて、前記視聴記録データ記憶手段から、特定された前記ユーザに関連付けられたＣＭを特定するデータを読み出すＣＭ読出手段と、
前記広告データ記憶手段から、特定された前記ＣＭに関連するキーワードに関連付けられた広告を特定するデータを読み出す手段と、
読み出した前記広告を特定するデータが示す広告データを、特定された前記ユーザのパーソナルメディア端末へ送信する送信手段と、を更に備え、
前記パーソナルメディア端末は、前記通信回線を介して前記広告データを受信する手段と、
前記広告データを出力する手段と、を更に備えた、広告配信システム。
【００３３】
このような構成によれば、当該システムにより、（１）と同様の効果が期待できる。
【発明の効果】
【００３４】
本発明によれば、ユーザに対してマスメディア端末の広告が行われた事実に基づいて、更に、マスメディア端末の広告に関連した広告をパーソナルメディア端末において行うことで、パーソナルメディア端末において、ユーザの消費行動に関連した広告を行う広告配信装置を提供することができるため、マスメディア端末の広告により消費欲求を喚起された状態になったユーザに対してマスメディア端末の広告に関連した広告をパーソナルメディア端末において配信することができる。
【発明を実施するための最良の形態】
【００３５】
以下、本発明の実施形態について図を参照しながら説明する。
【００３６】
［システムの全体構成］
図１は、本発明の好適な実施形態の一例に係るシステムの全体構成を表すブロック図である。
【００３７】
広告配信装置１０は、図２において後述するマスメディア端末１１と図３において後述するパーソナルメディア端末１２と図４において後述する広告データ入札端末１３と通信回線を通じてデータを送受信可能に接続されている。通信回線を通じてマスメディア端末１１から取得する視聴記録データ及び広告データ入札端末１３から取得する広告の入札データに基づいてパーソナルメディア端末１２に広告データを送信する。
【００３８】
視聴記録データを受信して記憶する手段１０１１は、マスメディア端末１１が送信した視聴記録データを受信する。受信した視聴記憶データを図９において後述する視聴記録ＤＢ１０７１に記憶する。
【００３９】
ＣＭ優先度決定手段１０１２は、図９において後述する視聴記録ＤＢ１０７１に記憶された視聴記録データに含まれる図１７及び図１９において後述するユーザを特定するデータとＣＭを特定するデータ及びユーザのＣＭ視聴回数及び視聴の順序による重み付けの値とを関連付ける処理を行う。ユーザを特定するデータとＣＭを特定するデータ及び重み付けの値とを関連付けて図９において後述する視聴記録ＤＢ１０７１に記憶する。
【００４０】
広告の入札データを受信して記憶する手段１０１３は、広告データ入札端末１３が送信する広告の入札データを受信する。受信した入札データ、広告を特定するデータ及び広告データを関連付けて図１３において後述する広告ＤＢ１０７２に記憶する。
【００４１】
広告出力優先度決定手段１０１４は、図１３において後述する広告ＤＢ１０７２に記憶された入札されたキーワードと広告を特定するデータ及び入札金額による重み付けの値を関連付ける処理を行う。入札されたキーワードと広告を特定するデータ及び重み付けの値を関連付けて図１３において後述する広告ＤＢ１０７２に記憶する。
【００４２】
ユーザを特定するデータを受信してＣＭを特定するデータを読み出す手段１０１５は、パーソナルメディア端末１２よりユーザを特定するデータを受信する。受信したユーザを特定するデータにより図９において後述する視聴記録ＤＢ１０７１を検索してＣＭを特定するデータを読み出す。
【００４３】
広告データマッチング手段１０１６は、図９において後述する視聴記録ＤＢ１０７１の有するＣＭＤＢの記憶しているキーワード及び図１３において後述する広告ＤＢ１０７２の記憶するキーワードをマッチングする処理を行う。図９において後述する視聴記録ＤＢ１０７１の有するＣＭＤＢは、ＣＭを特定するデータ及びキーワードを関連付けて記憶している。また、図１３において後述する広告ＤＢ１０７２は、入札されたキーワード及び広告を特定するデータを関連付けて記憶している。広告データマッチング手段１０１６は、所定のユーザについて、関連付けられたＣＭを特定するデータにより、図９において後述する視聴記録ＤＢ１０７１の有するＣＭＤＢを検索してキーワードを読み出し、読み出したキーワードにより図１３において後述する広告ＤＢ１０７２を検索して広告を特定するデータを読み出す。
【００４４】
広告データ送信手段１０１７は、広告を特定するデータが示す広告データを読み出す。読み出した広告データを上述のユーザを特定するデータを送信したパーソナルメディア端末１２に送信する。
【００４５】
［マスメディア端末の構成］
図２は、本発明の好適な実施形態の一例に係るシステムの一部であるマスメディア端末１１の構成を表すブロック図である。
【００４６】
マスメディア端末１１は、広告配信装置１０と通信回線を通じてデータを送受信可能に接続されている。放送データを受信する手段１１１１は放送局より送信された放送データを受信する。放送データを出力する手段１１１２は、放送データのうち、視聴に用いるデータをユーザに視聴可能に出力する。ユーザを特定するデータを記憶する手段１１１３は、マスメディア端末１１のユーザを特定するデータを予め読み出し可能に記憶している。
【００４７】
ユーザを特定するデータと放送データを関連付けて送信する手段１１１４は、ユーザを特定するデータを記憶する手段１１１３から読み出したユーザを特定するデータ及び放送データを受信する手段１１１１から受信した放送データを関連付けたユーザの視聴記録データを送信する。視聴記録データは、図９において後述する視聴記録ＤＢ１０７１に記憶されるユーザを特定するデータであるユーザＩＤと視聴したチャンネルと視聴した時間と視聴したＣＭを特定するデータであるＣＭＩＤとを含む。
【００４８】
［パーソナルメディア端末の構成］
図３は、本発明の好適な実施形態の一例に係るシステムの一部であるパーソナルメディア端末１２の構成を表すブロック図である。
【００４９】
パーソナルメディア端末１２は、広告配信装置１０と通信回線を通じてデータを送受信可能に接続されている。ユーザを特定するデータを送信する手段１２１１は、予め記憶されたデータ、あるいはユーザにより入力されたＩＤ、パスワードによるデータによってパーソナルメディア端末１２のユーザを特定するデータを広告配信装置１０に送信する。広告データを受信して出力する手段１２１２は、広告配信装置１０から受信した広告データをパーソナルメディア端末１２のユーザに対して視聴可能に出力する。
【００５０】
［広告データ入札端末の構成］
図４は、本発明の好適な実施形態の一例に係るシステムの一部である広告データ入札端末１３の構成を表すブロック図である。
【００５１】
広告データ入札端末１３は、広告配信装置１０と通信回線を通じてデータを送受信可能に接続されている。広告の入札データを入力する手段１３１１は広告の入札データの入力を受け付ける。広告の入札データを送信する手段１３１２は、広告の入札データを入力する手段１３１１から受信した入札データを広告配信装置１０に送信する。
【００５２】
［広告配信装置のハードウェア構成］
図５は、図１で説明した本発明の好適な実施形態の一例に係る広告配信装置１０のハードウェア構成の一例を示す図である。広告配信装置１０は、制御部１０１を構成するＣＰＵ（１）（Ｃｅｎｔｒａｌ  Ｐｒｏｃｅｓｓｉｎｇ  Ｕｎｉｔ）１０１０（マルチプロセッサ構成ではＣＰＵ（２）１０１８等、複数のＣＰＵが追加されてもよい）、バスライン１００５、通信Ｉ／Ｆ１０４０、メインメモリ１０５０、ＢＩＯＳ（Ｂａｓｉｃ  Ｉｎｐｕｔ  Ｏｕｔｐｕｔ  Ｓｙｓｔｅｍ）１０６０、ＵＳＢポート１０９０、Ｉ／Ｏコントローラ１０７０、並びにキーボード及びマウス１１００等の入力手段や表示装置１０２２を備える。
【００５３】
制御部１０１は、広告配信装置１０全体を制御し、後述する記憶部１０７に、広告配信装置１０が広告配信装置として機能するための各種プログラムを読み込んで動作することにより、本発明に係る各機能を実現する。
【００５４】
Ｉ／Ｏコントローラ１０７０には、テープドライブ１０７６、ハードディスク１０７４、光ディスクドライブ１０７７、半導体メモリ１０７９、等の記憶手段を接続することができる。
【００５５】
ＢＩＯＳ１０６０は、広告配信装置１０の起動時に制御部１０１が実行するブートプログラムや、広告配信装置１０のハードウェアに依存するプログラム等を格納する。
【００５６】
記憶部１０７を構成するハードディスク１０７４は、広告配信装置１０が広告配信装置１０として機能するための各種プログラム及び本発明の機能を実行するプログラムを記憶しており、更に必要に応じて各種データベースを構成可能である。
【００５７】
光ディスクドライブ１０７７としては、例えば、ＤＶＤ−ＲＯＭドライブ、ＣＤ−ＲＯＭドライブ、ＤＶＤ−ＲＡＭドライブ、ＣＤ−ＲＷドライブ等を使用することができる。この場合は各ドライブに対応した光ディスク１０７８を使用する。光ディスク１０７８から光ディスクドライブ１０７７によりプログラムまたはデータを読み取り、Ｉ／Ｏコントローラ１０７０を介してメインメモリ１０５０またはハードディスク１０７４に提供することもできる。また、同様にテープドライブ１０７６に対応したテープメディア１０７５を主としてバックアップのために使用することもできる。
【００５８】
広告配信装置１０に提供されるプログラムは、ハードディスク１０７４、光ディスク１０７８、またはメモリーカード等の記録媒体に格納されて提供される。このプログラムは、Ｉ／Ｏコントローラ１０７０を介して、記録媒体から読み出され、または通信Ｉ／Ｆ１０４０を介してダウンロードされることによって、広告配信装置１０にインストールされ実行されてもよい。
【００５９】
前述のプログラムは、内部または外部の記憶媒体に格納されてもよい。ここで、記憶部１０７を構成する記憶媒体としては、ハードディスク１０７４、光ディスク１０７８、またはメモリーカードの他に、ＭＤ等の光磁気記録媒体、テープメディア１０７５を用いることができる。また、専用通信回線やインターネットに接続されたサーバシステムに設けたハードディスク１０７４または光ディスクライブラリー等の記憶装置を記録媒体として使用し、通信回線を介してプログラムを広告配信装置１０に提供してもよい。
【００６０】
ここで、表示装置１０２２は、広告配信装置１０の管理者にデータの入力を受け付ける画面を表示したり、広告配信装置１０による演算処理結果の画面を表示したりするものであり、ブラウン管表示装置（ＣＲＴ）、液晶表示装置（ＬＣＤ）等のディスプレイ装置を含む。
【００６１】
ここで、入力手段は、広告配信装置１０の管理者による入力の受け付けを行うものであり、キーボード及びマウス１１００等により構成してよい。
【００６２】
また、通信Ｉ／Ｆ１０４０は、広告配信装置１０を専用ネットワークまたは公共ネットワークを介して端末と接続できるようにするためのネットワーク・アダプタである。通信Ｉ／Ｆ１０４０は、モデム、ケーブル・モデム及びイーサネット（登録商標）・アダプタを含んでよい。
【００６３】
以上の例は、広告配信装置１０について主に説明したが、コンピュータに、プログラムをインストールして、そのコンピュータを広告配信装置１０として動作させることにより上記で説明した機能を実現することもできる。したがって、本発明において一実施形態として説明した広告配信装置１０により実現される機能は、上述の方法を当該コンピュータにより実行することにより、あるいは、上述のプログラムを当該コンピュータに導入して実行することによっても実現可能である。
【００６４】
なお、本実施形態の情報提供サービスは、広告配信装置１０により実現するように構成したが、広告配信装置１０の構成はこれには限られず、例えば１つの広告配信装置１０において上述の機能を実現してもよく、また、各種機能毎に適宜複数の広告配信装置１０に分割してよい。
【００６５】
［マスメディア端末のハードウェア構成］
図６は、図２で説明した本発明の好適な実施形態の一例に係るマスメディア端末１１のハードウェア構成の一例を示す図である。マスメディア端末１１は、放送受信手段（地上デジタルチューナー等）１１３０、制御部１１１を構成するＣＰＵ（１）１１１０（マルチプロセッサ構成ではＣＰＵ１１１５等、複数のＣＰＵが追加されてもよい）、バスライン１１０５、通信Ｉ／Ｆ１１４０、メインメモリ１１５０、ユーザを特定するデータ記憶部１１３５、デコーダ１１３１、表示装置１１３２を備える。
【００６６】
放送受信手段（地上デジタルチューナー等）１１３０は、放送データを受信する。また、通信Ｉ／Ｆ１１４０は、マスメディア端末１１をユーザを特定するデータ記憶部１１３５と通信可能に接続するメモリカードリーダー及び専用ネットワークまたは公共ネットワークを介して端末と接続できるようにするためのネットワーク・アダプタを含むインターフェースである。通信Ｉ／Ｆ１１４０は、モデム、ケーブル・モデム及びイーサネット（登録商標）・アダプタ、ＩＣカードリーダーを含んでよい。
【００６７】
マスメディア端末１１に提供されるプログラムは、メインメモリ１１５０に格納されて提供される。
【００６８】
ここで、表示装置１１３２は、デコーダ１１３１においてデコードされた放送データをユーザに視聴可能に出力するものであり、ブラウン管表示装置（ＣＲＴ）、液晶表示装置（ＬＣＤ）等のディスプレイ装置を含む。
【００６９】
上述のマスメディア端末１１は、より具体的には、例えば、通信ネットワークと接続する手段、ユーザを特定するデータを送信する手段、ＣＭを視聴可能に出力する手段を有するテレビジョン等として実現することができる。
【００７０】
なお、本実施形態の広告配信システムは、１つのマスメディア端末１１により実現するように構成したが、システム構成はこれには限られず、複数のマスメディア端末１１があってよい。
【００７１】
［パーソナルメディア端末のハードウェア構成］
図７は、図３で説明した本発明の好適な実施形態の一例に係るパーソナルメディア端末１２のハードウェア構成の一例を示す図である。パーソナルメディア端末１２は、制御部１２１を構成するＣＰＵ（１）１２１０（マルチプロセッサ構成ではＣＰＵ（２）１２１３等、複数のＣＰＵが追加されてもよい）、バスライン１２０５、通信Ｉ／Ｆ１２４０、メインメモリ１２５０、ユーザを特定するデータ記憶部１２７０、表示装置１２２２を備える。
【００７２】
また、通信Ｉ／Ｆ１２４０は、パーソナルメディア端末１２をユーザを特定するデータを記憶するデータ記憶部１２７０と通信可能に接続し、専用ネットワークまたは公共ネットワークを介して端末と接続できるようにするためのネットワーク・アダプタを含むインターフェースである。通信Ｉ／Ｆ１２４０は、電話回線、モデム、ケーブル・モデム及びイーサネット（登録商標）・アダプタ、メモリカードリーダーを含んでよい。
【００７３】
パーソナルメディア端末１２に提供されるプログラムは、メインメモリ１２５０に格納されて提供される。
【００７４】
ここで、表示装置１２２２は、通信回線より受信した広告データをユーザに視聴可能に出力するものであり、ブラウン管表示装置（ＣＲＴ）、液晶表示装置（ＬＣＤ）等のディスプレイ装置を含む。
【００７５】
上述のパーソナルメディア端末１２は、具体的には、例えば、通信ネットワークと接続する手段、ユーザを特定するデータを送信する手段、広告データを受信してユーザに視聴可能に出力する手段を有するパーソナルコンピュータ、ＰＤＡ（Ｐｅｒｓｏｎａｌ  Ｄａｔａ  Ａｓｓｉｓｔａｎｔ）、ゲーム機、携帯電話等として実現することができる。
【００７６】
なお、本実施形態の広告配信システムは、１つのパーソナルメディア端末１２により実現するように構成したが、システム構成はこれには限られず、複数のパーソナルメディア端末１２があってよい。
【００７７】
［広告データ入札端末のハードウェア構成］
広告データ入札端末１３は広告配信装置１０と同様の構成により実現できる。
【００７８】
図８は、本発明の好適な実施形態の一例に係る広告配信システムにおける広告配信処理の流れを示すフローチャートである。
【００７９】
ステップＳ１においては、マスメディア端末１１は、放送データを受信する。具体的には、例えば、放送受信手段（地上デジタルチューナー等）１１３０は、画像情報、音声情報、チャンネル情報、時間情報、ＣＭＩＤを含む放送データを受信する。
【００８０】
ステップＳ２においては、マスメディア端末１１は、放送データとユーザを特定するデータを関連付けて視聴記録データを送信する。具体的には、例えば、制御部１１１は、放送データのうち、視聴データをデコーダ１１３１において復号し表示装置１１３２において表示する。復号を行った放送データのうち視聴記録に関係するチャンネル情報、時間情報から復号を行った時間を算出した視聴時間及びＣＭを特定するＩＤ番号であるＣＭＩＤとユーザを特定するデータ記憶部１１３５であるＩＣカード等から読み出したユーザを特定するデータであるユーザＩＤとを関連付けて、視聴記録データとして通信Ｉ／Ｆ１１４０から通信回線を通じて広告配信装置１０に送信する。
【００８１】
ステップＳ３においては、広告配信装置１０は、マスメディア端末１１から視聴記録データを受信する。具体的には、例えば、通信Ｉ／Ｆ１０４０は、通信回線を通じて、画像情報、音声情報、チャンネル情報、視聴時間、ＣＭＩＤとユーザＩＤとを関連付けた視聴記録データを受信する。受信は、例えば、所定の時間毎に行ってもよく、チャンネル、時間及びＣＭＩＤのいずれかが変化したときに行ってもよく、マスメディア端末１１の電源を切る際にマスメディア端末１１の電源を入れている間に蓄積した視聴記録データを通信Ｉ／Ｆ１０４０において受信してもよく、マスメディア端末１１の表示装置１１２２の電源を切っている間にマスメディア端末１１の電源を入れている間に蓄積した視聴記録データを通信Ｉ／Ｆ１０４０において受信してもよい。
【００８２】
ステップＳ４においては、広告配信装置１０は、ユーザを特定するデータ及びＣＭを特定するデータを関連付けて記憶する。具体的には、例えば、制御部１０１は、受信したユーザＩＤとチャンネル情報、視聴時間及びＣＭＩＤとを関連付けた視聴記録データを、ユーザＩＤ及びチャンネル情報と視聴時間とＣＭＩＤとを関連付けて図９において後述する視聴記録ＤＢ１０７１に記憶する。
【００８３】
［視聴記録ＤＢ］
図９は、本発明の好適な実施形態の一例に係る視聴記録ＤＢ１０７１を示す。視聴記録ＤＢ１０７１は、チャンネル情報、視聴時間、ＣＭＩＤとユーザＩＤとを関連付けて記憶するデータテーブルを管理する。視聴記録ＤＢ１０７１は、ユーザＩＤ及びチャンネル情報と視聴時間とＣＭＩＤとを関連付けて記憶している。
【００８４】
［ＣＭＤＢ］
図１０は、本発明の好適な実施形態の一例に係るＣＭＤＢを示す。ＣＭＤＢは、ＣＭＩＤ及びキーワードを関連付けて記憶するデータテーブルを管理する。
【００８５】
広告配信装置１０は、ＣＭＩＤ及びＣＭに関連するキーワードを関連付けてＣＭＤＢに記憶する。キーワードは、広告配信装置１０の管理者が通信回線を介して広告配信装置１０に接続された管理者端末を介して入力してもよいし広告配信装置１０がＣＭに含まれる画像データや音声データ等を分析して入力してもよい。データテーブルは、具体的には、例えば、ＣＭＩＤがＸＸＸのＣＭは自動車のＣＭであり、「車」、「○○自動車」、「新型△△」、・・・等のキーワードが関連付けられている。ＣＭＩＤがＰＰＰのＣＭは保険のＣＭであり、「保険」、「××海上」、「がん保険□□」・・・等のキーワードが関連付けられている。
【００８６】
図１１は、図８に引き続き、本発明の好適な実施形態の一例に係る広告配信システムにおける広告配信処理の流れを示すフローチャートである。
【００８７】
ステップＳ１１においては、広告配信装置１０は、ＣＭに関連するキーワードに対する広告データの入札を受け付ける。具体的には、例えば、制御部１０１は、入札を行うキーワードである入札キーワードを示すデータを通信Ｉ／Ｆ１０４０から通信回線を通じて広告データ入札端末１３に送信し、通信Ｉ／Ｆ１０４０に通信回線を通じて入札金額データ及び広告データを受信する。
【００８８】
ステップＳ１２においては、広告データ入札端末１３は、入札データの入力を受け付ける。具体的には、例えば、広告データ入札端末１３の制御部１０１は、入札キーワードを示すデータを広告データ入札端末１３の通信Ｉ／Ｆ１０４０に通信回線を通じて受信する。受信した入札キーワードを示すデータを広告データ入札端末１３の表示装置１０２２に表示して、表示した入札キーワードに対する入札を行う。入札を行う入札者による、入札データの入力を広告データ入札端末１３のキーボード／マウス１１００から受け付け、広告データを広告データ入札端末１３の記憶部１０７から読み出す。受け付けた入札データ及び読み出した広告データを広告データ入札端末１３の通信Ｉ／Ｆ１０４０から通信回線を通じて広告配信装置１０に送信する。
【００８９】
ステップＳ１３においては、広告データ入札端末１３は、入札データを送信する。具体的には、例えば、広告データ入札端末１３の制御部１０１は、受け付けた入札金額データ及び広告データを広告データ入札端末１３の通信Ｉ／Ｆ１０４０から通信回線を通じて広告配信装置１０に送信する。
【００９０】
ステップＳ１４においては、広告配信装置１０は、広告を特定するデータをキーワードに関連付けて記憶する。具体的には、例えば、制御部１０１は、入札キーワード、入札者の広告データ、広告ＩＤ及び入札金額が大きいほど大きくなる重み付けの数値を関連付けて、図１３において後述する広告ＤＢ１０７２に記憶させる。
【００９１】
［入札画面］
図１２は、広告データ入札端末１３における入札画面の表示を示す図である。画面の上部には、入札の対象となるキーワードであるキーワードが表示される。次いで現在の入札価格である現在の入札金額が表示される。次いで、入札者が現在の価格に対して入札を行う入札金額の入力のためのテキストボックスに金額を入力する（この例では現在の金額：５０万円に対して６０万円で入札を行う場合を示している）。次いで、広告データに関連付けられる広告ＩＤの入力のためのテキストボックスに、広告ＩＤを入力する（この例では広告ＩＤ：Ｓ０１を入力する場合を示している）。次いで、入札の残り時間が表示される。次いで、入札者のＩＤが表示される。次いで、入札者が広告を行いたいＷＷＷ（Ｗｏｒｌｄ  Ｗｉｄｅ  Ｗｅｂ）上のＷｅｂページのＵＲＬ（Ｕｎｉｆｏｒｍ  Ｒｅｓｏｕｒｃｅ  Ｌｏｃａｔｏｒ）を入力するためのリンク先ＵＲＬのテキストボックスに入力する。更に、バナーに用いる画像のデータの記憶されている場所を入力する（この例では、￥￥ｂａｎｎｅｒ￥ＸＸＸ．ｇｉｆを指定している）。画面右下には上述の入力を行った後、入札データの送信を行うための入札のボタン及び上述の入力項目をクリアするためのクリアボタンが表示されている。
【００９２】
［広告ＤＢ］
図１３は、本発明の好適な実施形態の一例に係る広告ＤＢである。広告ＤＢは、入札キーワード及び広告ＩＤを関連付けて管理する。広告ＩＤには重み付けの数値がそれぞれに付されている。重み付けの値は最も高い入札金額を１００とした場合の金額を表している。これに限らず、重み付けの数値は、上述の重み付けの数値の順序によりＣＭＩＤを選択するか重み付けの数値をＣＭＩＤの選択の頻度として用いるかといった重み付けの用途により、様々な方法で定めてよい。
【００９３】
図１４は、図１１に引き続き、本発明の好適な実施形態の一例に係る広告配信システムにおける広告配信処理の流れを示すフローチャートである。
【００９４】
ステップＳ２１においては、パーソナルメディア端末１２は、ユーザを特定するデータを送信する。具体的には、例えば、制御部１２１は、ユーザを特定するデータ記憶部１２７０からユーザＩＤを読み出して通信Ｉ／Ｆ１２４０から通信回線を通じて広告配信装置１０に送信する。
【００９５】
ステップＳ２２においては、広告配信装置１０は、パーソナルメディア端末１２からユーザを特定するデータを受信して、ユーザが視聴したＣＭを特定するデータを読み出す。具体的には、例えば、制御部１０１は、通信Ｉ／Ｆ１０４０に通信回線を通じてユーザＩＤを受信する。受信したユーザＩＤにより視聴記録ＤＢ１０７１を検索して受信したユーザＩＤに関連付けられたＣＭＩＤを読み出す。
【００９６】
ステップＳ２３においては、広告配信装置１０は、ＣＭに関連するキーワードに関連付けられた広告を特定するデータを読み出す。具体的には、例えば、制御部１０１は、読み出したＣＭＩＤにより視聴記録ＤＢ１０７１を検索して入札キーワードを読み出す。読み出した入札キーワードにより広告ＤＢ１０７２を検索して重み付けの数値にしたがって広告を特定するデータである広告ＩＤを読み出す。キーワードの重み付けの数値の大きい順に広告ＩＤを読み出してもよく、キーワードの重み付けの数値の大きい順に広告ＩＤを高い確率で読み出してもよい。
【００９７】
ステップＳ２４においては、広告配信装置１０は、広告を特定するデータが示す広告データをユーザを特定するデータを送信したパーソナルメディア端末１２に送信する。具体的には、例えば、制御部１０１は、読み出した広告ＩＤにより広告データを読み出し通信Ｉ／Ｆ１０４０から通信回線を通じてパーソナルメディア端末１２に送信する。
【００９８】
ステップＳ２５においては、パーソナルメディア端末１２は、広告データを受信して出力する。具体的には、例えば、制御部１２１は、通信Ｉ／Ｆ１２１０に通信回線を通じて受信した広告データを表示装置１２２２に表示する。
【００９９】
図１５は、本発明のマスメディア端末１１とパーソナルメディア端末１２における表示例を示す図である。
【０１００】
初めに、マスメディア端末１１は、ＣＭ２００１を表示する。表示されたＣＭを視聴したユーザは、消費欲求を喚起される。ＣＭ２００１を表示したマスメディア端末１１は、ユーザＩＤ及び視聴記録データを広告配信装置１０に送信する。ユーザＩＤ及び視聴記録データを受信した広告配信装置１０は、ユーザＩＤ及び視聴記録データを関連付けて視聴記録ＤＢ１０７１に記憶する。ユーザＩＤ及び視聴記録データを関連付けて視聴記録ＤＢ１０７１に記憶した広告配信装置１０は、ユーザのＣＭの視聴事実に基づいて、入札により広告ＩＤ及び広告データと関連付けられた入札キーワード「新型△△」を読み出し、キーワード「新型△△」により広告ＤＢ１０７２を検索して広告ＩＤ（この例では、例えば最も大きな重み付けがなされている「Ｓ０１」）を読み出す。一方、ＣＭにより消費欲求を喚起されたユーザはＣＭとは関係ない目的でユーザＩＤを予め記憶したパーソナルメディア端末１２によりブラウザを操作してＣＭ２００１とは関係ない表示画面２０１０を表示する。画面を表示したパーソナルメディア端末１２からユーザＩＤが広告配信装置１０に送信される。ユーザＩＤを受信した広告配信装置１０は、上述の読み出した広告ＩＤに関連付けられた広告データをパーソナルメディア端末１２に送信する。広告データを受信したパーソナルメディア端末１２は広告データである広告バナー２０２０を表示する。表示された広告バナー２０２０はユーザが視聴したＣＭに関連がある。ＣＭにより消費欲求を喚起されたユーザはユーザが視聴したＣＭに関連がある広告バナーを選択して商品情報を閲覧し、より消費欲求を高める可能性があり、より効果的な広告配信を実現することができる。より具体的には、この例のように、「新型△△」という車のＣＭを見たユーザに、最寄のディーラーからの「新型△△」のキャンペーン広告（広告ＩＤ「Ｓ０１」）を見せると効果的である。
【０１０１】
［広告配信装置の処理フローの他の第１の例］
図１６は、本発明の好適な実施形態の他の第１の例に係る広告配信システムにおける広告配信装置１０の処理の流れを示すフローチャートである。
【０１０２】
ステップＳ３１においては、広告配信装置１０は、マスメディア端末１１から視聴記録データを受信する。具体的には、例えば、通信Ｉ／Ｆ１０４０は、通信回線を通じて、画像情報、音声情報、チャンネル情報、視聴時間、ＣＭＩＤとユーザＩＤとを関連付けた視聴記録データを受信する。受信は、例えば、所定の時間毎に行ってもよくチャンネル、時間及びＣＭＩＤのいずれかが変化したときに行ってもよくマスメディア端末１１の電源を切る際にマスメディア端末１１の電源を入れている間に蓄積した視聴記録データを通信Ｉ／Ｆ１０４０において受信してもよくマスメディア端末１１の表示装置１１２２の電源を切っている間にマスメディア端末１１の電源を入れている間に蓄積した視聴記録データを通信Ｉ／Ｆ１０４０において受信してもよい。
【０１０３】
ステップＳ３２においては、広告配信装置１０は、ユーザを特定するデータ、ＣＭを特定するデータ及びＣＭ視聴順序による重み付けの値を関連付けて記憶する。具体的には、例えば、制御部１０１は、受信したユーザＩＤとチャンネル情報、視聴時間及びＣＭＩＤとを関連付けた視聴記録データをユーザＩＤ及びチャンネル情報と視聴時間とＣＭＩＤとＣＭ視聴順序とを関連付けて視聴記録ＤＢ１０７１に記憶させる。ＣＭ視聴順序によりＣＭＩＤの重み付けの値を決定し、視聴順序の新しいＣＭＩＤには大きい重み付けの値を関連付ける。
【０１０４】
ステップＳ３３においては、広告配信装置１０は、ＣＭに関連するキーワードに対する広告データの入札を受け付ける。具体的には、例えば、制御部１０１は、入札を行うキーワードである入札キーワードを示すデータを通信Ｉ／Ｆ１０４０から通信回線を通じて広告データ入札端末１３に送信し、通信Ｉ／Ｆ１０４０に通信回線を通じて入札データ及び広告データを受信する。例えば、ＣＭＩＤの付与された重み付けの値によって関連するキーワードの入札開始金額を決定してもよくＣＭＩＤの付与された重み付けの値によって関連するキーワードの入札の順番を決定してもよい。
【０１０５】
ステップＳ３４においては、広告配信装置１０は、広告を特定するデータをキーワードに関連付けて記憶する。具体的には、例えば、制御部１０１は、入札キーワード、入札者の広告データ、広告ＩＤ及び入札金額が大きいほど大きくなる重み付けの数値を関連付けて広告ＤＢ１０７２に記憶する。
【０１０６】
ステップＳ３５においては、広告配信装置１０は、パーソナルメディア端末１２からユーザを特定するデータを受信して、ユーザが視聴したＣＭを特定するデータを読み出す。具体的には、例えば、制御部１０１は、通信Ｉ／Ｆ１０４０に通信回線を通じてユーザＩＤを受信する。受信したユーザＩＤにより視聴記録ＤＢ１０７１を検索して受信したユーザＩＤに関連付けられたＣＭＩＤをＣＭＩＤの重み付けの値により選択して読み出す。重み付けの値による選択は値の大きい順番に読み出してもよく値の大きいＣＭＩＤほど高い確率で読み出してもよい。
【０１０７】
ステップＳ３６においては、広告配信装置１０は、ＣＭに関連するキーワードに関連付けられた広告を特定するデータを読み出す。具体的には、例えば、制御部１０１は、読み出したＣＭＩＤにより視聴記録ＤＢ１０７１を検索して入札キーワードを読み出す。読み出した入札キーワードにより広告ＤＢ１０７２を検索して重み付けの数値にしたがって広告を特定するデータである広告ＩＤを読み出す。キーワードの重み付けの数値の大きい順に広告ＩＤを読み出してもよくキーワードの重み付けの数値の大きい順に広告ＩＤを高い確率で読み出してもよい。
【０１０８】
ステップＳ３７においては、広告配信装置１０は、広告を特定するデータが示す広告データをユーザを特定するデータを送信したパーソナルメディア端末１２に送信する。具体的には、例えば、制御部１０１は、読み出した広告ＩＤにより広告データを読み出し通信Ｉ／Ｆ１０４０から通信回線を通じてパーソナルメディア端末１２に送信する。
【０１０９】
［ＣＭＩＤの視聴順序による重み付け］
図１７は、図９に示されている視聴記録データを受信した場合の広告配信装置１０におけるユーザーＩＤ及びユーザーのＣＭ視聴順序によるＣＭＩＤの重み付けを関連付けたデータテーブルである。ＣＭＩＤには重み付けの値がそれぞれに付されている。図９においては、下の行のデータほど視聴時間が新しいため、ユーザＩＤ：ＡＡＡに対するＣＭＩＤの重み付けはＱＱＱが最も大きく、ＸＸＸ、ＰＰＰの順に小さくなる。重み付けの値は、もっとも視聴順序が新しいＣＭＩＤを１００として、視聴順序毎に５０、２５と半減している。これに限らず、重み付けの値は、キーワードの重み付けの数値の大きい順にＣＭＩＤを読み出してもよくキーワードの重み付けの数値の大きい順にＣＭＩＤを高い確率で読み出してもよく重み付けの用途により異なる方法で定めてよい。
【０１１０】
［広告配信装置の処理フローの他の第２の例］
図１８は、本発明の好適な実施形態の他の第２の例に係る広告配信システムにおける広告配信装置１０の処理の流れを示すフローチャートである。
【０１１１】
ステップＳ４１においては、広告配信装置１０は、マスメディア端末１１から視聴記録データを受信する。具体的には、例えば、通信Ｉ／Ｆ１０４０は、通信回線を通じて、画像情報、音声情報、チャンネル情報、視聴時間及びＣＭＩＤとユーザＩＤとを関連付けた視聴記録データを受信する。受信は、例えば、所定の時間毎に行ってもよく、チャンネル、時間及びＣＭＩＤのいずれかが変化したときに行ってもよく、マスメディア端末１１の電源を切る際にマスメディア端末１１の電源を入れている間に蓄積した視聴記録データを通信Ｉ／Ｆ１０４０において受信してもよく、マスメディア端末１１の表示装置１１２２の電源を切っている間にマスメディア端末１１の電源を入れている間に蓄積した視聴記録データを通信Ｉ／Ｆ１０４０において受信してもよい。
【０１１２】
ステップＳ４２においては、広告配信装置１０は、ユーザを特定するデータ、ＣＭを特定するデータ及びＣＭ視聴回数による重み付けの値を関連付けて記憶する。具体的には、例えば、制御部１０１は、受信したユーザＩＤとチャンネル情報、視聴時間及びＣＭＩＤとを関連付けた視聴記録データを、ユーザＩＤ及びチャンネル情報と視聴時間とＣＭＩＤとＣＭ視聴回数とを関連付けて視聴記録ＤＢ１０７１に記憶させる。ＣＭ視聴回数によりＣＭＩＤの重み付けの値を決定し、視聴回数が多いＣＭＩＤには大きい重み付けの値を関連付ける。
【０１１３】
ステップＳ４３においては、広告配信装置１０は、ＣＭに関連するキーワードに対する広告データの入札を受け付ける。具体的には、例えば、制御部１０１は、入札を行うキーワードである入札キーワードを示すデータを通信Ｉ／Ｆ１０４０から通信回線を通じて広告データ入札端末１３に送信し通信Ｉ／Ｆ１０４０に通信回線を通じて入札データ及び広告データを受信する。例えば、ＣＭＩＤの付与された重み付けの値によって関連するキーワードの入札開始金額を決定してもよくＣＭＩＤの付与された重み付けの値によって関連するキーワードの入札の順番を決定してもよい。
【０１１４】
ステップＳ４４においては、広告配信装置１０は、広告を特定するデータをキーワードに関連付けて記憶する。具体的には、例えば、制御部１０１は、入札キーワード、入札者の広告データ、広告ＩＤ及び入札金額が大きいほど大きくなる重み付けの数値を関連付けて広告ＤＢ１０７２に記憶する。
【０１１５】
ステップＳ４５においては、広告配信装置１０は、パーソナルメディア端末１２からユーザを特定するデータを受信してユーザが視聴したＣＭを特定するデータを読み出す。具体的には、例えば、制御部１０１は、通信Ｉ／Ｆ１０４０に通信回線を通じてユーザＩＤを受信する。受信したユーザＩＤにより視聴記録ＤＢ１０７１を検索して受信したユーザＩＤに関連付けられたＣＭＩＤをＣＭＩＤの重み付けの値により選択して読み出す。重み付けの値による選択は値の大きい順番に読み出してもよく、値の大きいＣＭＩＤほど高い確率で読み出してもよい。
【０１１６】
ステップＳ４６においては、広告配信装置１０は、ＣＭに関連するキーワードに関連付けられた広告を特定するデータを読み出す。具体的には、例えば、制御部１０１は、読み出したＣＭＩＤにより視聴記録ＤＢ１０７１を検索して入札キーワードを読み出す。読み出した入札キーワードにより広告ＤＢ１０７２を検索して重み付けの数値にしたがって広告を特定するデータである広告ＩＤを読み出す。キーワードの重み付けの数値の大きい順に広告ＩＤを読み出してもよく、キーワードの重み付けの数値の大きい順に広告ＩＤを高い確率で読み出してもよい。
【０１１７】
ステップＳ４７においては、広告配信装置１０は、広告を特定するデータが示す広告データをユーザを特定するデータを送信したパーソナルメディア端末１２に送信する。具体的には、例えば、制御部１０１は、読み出した広告ＩＤにより広告データを読み出し通信Ｉ／Ｆ１０４０から通信回線を通じてパーソナルメディア端末１２に送信する。
【０１１８】
［ＣＭＩＤの視聴回数による重み付け］
図１９は、図９に示されている視聴記録データを受信した場合の広告配信装置１０におけるユーザーＩＤとユーザーのＣＭ視聴回数によるＣＭＩＤの重み付けを関連付けたデータテーブルである。ＣＭＩＤには重み付けの値がそれぞれに付されている。図９においては、ＡＡＡのＣＭの視聴回数はＣＭＩＤがＸＸＸのＣＭを２回視聴しＱＱＱのＣＭを１回視聴しＰＰＰのＣＭを１回視聴している。そのためユーザＩＤがＡＡＡに対するＣＭＩＤの重み付けはＸＸＸが最も大きくなる。ＸＸＸに次いでＰＰＰ及びＱＱＱは、ＸＸＸの重み付けより小さく等しい重み付けとなる。重み付けの値は、もっとも視聴回数が多いＣＭＩＤを１００として、回数順にＣＭＩＤに順位を付けた場合の順位毎に５０と半減している。これに限らず、重み付けの値は、キーワードの重み付けの数値の大きい順にＣＭＩＤを読み出してもよくキーワードの重み付けの数値の大きい順にＣＭＩＤを高い確率で読み出してもよく用途により異なる方法で定めてよい。
【０１１９】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施例に記載されたものに限定されるものではない。
【図面の簡単な説明】
【０１２０】
【図１】本発明の好適な実施形態の一例に係るシステムの全体構成を表すブロック図である。
【図２】本発明の好適な実施形態の一例に係るシステムの一部であるマスメディア端末１１の構成を表すブロック図である。
【図３】本発明の好適な実施形態の一例に係るシステムの一部であるパーソナルメディア端末１２の構成を表すブロック図である。
【図４】本発明の好適な実施形態の一例に係るシステムの一部である広告データ入札端末１３の構成を表すブロック図である。
【図５】図１で説明した本発明の好適な実施形態の一例に係る広告配信装置１０のハードウェア構成の一例を示す図である。
【図６】図２で説明した本発明の好適な実施形態の一例に係るマスメディア端末１１のハードウェア構成の一例を示す図である。
【図７】図３で説明した本発明の好適な実施形態の一例に係るパーソナルメディア端末１２のハードウェア構成の一例を示す図である。
【図８】本発明の好適な実施形態の一例に係る広告配信システムにおける広告配信処理の流れを示すフローチャートである。
【図９】本発明の好適な実施形態の一例に係る視聴記録ＤＢ１０７１を示す。
【図１０】本発明の好適な実施形態の一例に係るＣＭＤＢを示す。
【図１１】図８に引き続き、本発明の好適な実施形態の一例に係る広告配信システムにおける広告配信処理の流れを示すフローチャートである。
【図１２】広告データ入札端末１３における入札画面の表示を示す図である。
【図１３】本発明の好適な実施形態の一例に係る広告ＤＢである。
【図１４】図１１に引き続き、本発明の好適な実施形態の一例に係る広告配信システムにおける広告配信処理の流れを示すフローチャートである。
【図１５】本発明のマスメディア端末１１とパーソナルメディア端末１２における表示例を示す図である。
【図１６】本発明の好適な実施形態の他の第１の例に係る広告配信システムにおける広告配信装置１０の処理の流れを示すフローチャートである。
【図１７】図９に示されている視聴記録データを受信した場合の広告配信装置１０におけるユーザーＩＤ及びユーザーのＣＭ視聴順序によるＣＭＩＤの重み付けを関連付けたデータテーブルである。
【図１８】本発明の好適な実施形態の他の第２の例に係る広告配信システムにおける広告配信装置１０の処理の流れを示すフローチャートである。
【図１９】図９に示されている視聴記録データを受信した場合の広告配信装置１０におけるユーザーＩＤとユーザーのＣＭ視聴回数によるＣＭＩＤの重み付けを関連付けたデータテーブルである。
【符号の説明】
【０１２１】
１０  広告配信装置
１１  マスメディア端末
１２  パーソナルメディア端末
１３  広告データ入札端末
１０１  広告配信装置１０の制御部
１０７４  ハードディスク
１１３５  マスメディア端末１１のユーザを特定するデータ記憶部
１１３２  マスメディア端末１１の表示装置
１２７０  パーソナルメディア端末１２のユーザを特定するデータ記憶部
１２２２  パーソナルメディア端末１２の表示装置
【図１】
0005384818.tif 000002
【図２】
0005384818.tif 000003
【図３】
0005384818.tif 000004
【図４】
0005384818.tif 000005
【図５】
0005384818.tif 000006
【図６】
0005384818.tif 000007
【図７】
0005384818.tif 000008
【図８】
0005384818.tif 000009
【図９】
0005384818.tif 000010
【図１０】
0005384818.tif 000011
【図１１】
0005384818.tif 000012
【図１２】
0005384818.tif 000013
【図１３】
0005384818.tif 000014
【図１４】
0005384818.tif 000015
【図１５】
0005384818.tif 000016
【図１６】
0005384818.tif 000017
【図１７】
0005384818.tif 000018
【図１８】
0005384818.tif 000019
【図１９】
0005384818.tif 000020